(57)【要約】  【課題】  ＩＣチップのリード／ライトテストを容易に行うことができ、無線ＩＣタグを容易に製造することができて、製造コストを低く抑えることができる無線ＩＣタグを提供する。  【解決手段】無線ＩＣタグ１００は、ＩＣチップ１０１と面状の中間アンテナ１０２で構成されたループ状の中間ＩＣタグ体１０３と、中間アンテナ１０２が重ねられて無線的に接続される本アンテナ１０４とを備える。中間アンテナ１０２は、ＩＣチップ１０１が接続される二つの接続部１０７を有する。二つの接続部１０７は中間アンテナ１０２の存在しない空き部１０６を挟んで互いに対向しており、空き部１０６にＩＣチップ１０１が架け渡されてループが形成される。例えば、空き部１０６は、二つの接続部１０７の間に設けられた切り込み状のスリット１０６である。【選択図】  図３
2008158845.tif 000002
【特許請求の範囲】
【請求項１】
ＩＣチップと、前記ＩＣチップが接続される二つの接続部を有する面状の中間アンテナで構成されたループ状の中間ＩＣタグ体と、
前記中間アンテナが重ねられて無線的に接続される本アンテナと、
を備え、
前記二つの接続部は前記中間アンテナの存在しない空き部を挟んで互いに対向しており、前記空き部に前記ＩＣチップが架け渡されてループが形成されたことを特徴とする無線ＩＣタグ。
【請求項２】
前記空き部は、前記二つの接続部の間に設けられた切り込み状のスリットであり、
前記ＩＣチップは、前記スリットの切り込み口の付近に配置されることを特徴とする請求項１に記載の無線ＩＣタグ。
【請求項３】
前記本アンテナは、導電性インキで印刷された一対のアンテナパターンで構成されたことを特徴とする請求項１または請求項２に記載の無線ＩＣタグ。
【請求項４】
前記本アンテナは、不正持出し防止用の情報を電磁的に書き込み可能な棒状の不正持出し防止タグ体で構成されたことを特徴とする請求項１または請求項２に記載の無線ＩＣタグ。
【請求項５】
請求項１ないし請求項４のいずれかに記載の無線ＩＣタグに用いられ、
ＩＣチップと、前記ＩＣチップの端子が接続される接続部を有する面状の中間アンテナで構成され、前記中間アンテナに前記ＩＣチップが架け渡されてループが形成されたことを特徴とする中間ＩＣタグ体。
【発明の詳細な説明】
【技術分野】
【０００１】
本発明は、無線通信により情報の読出しや書込みが可能な無線ＩＣタグに関する。
【背景技術】
【０００２】
近年、商品の在庫情報や各種の料金情報などの情報管理を行うために、無線ＩＣタグが用いられている。無線ＩＣタグは、多くの情報を記憶させることができ、また、非接触の状態、すなわちリーダやライタに近接させただけの状態で、情報の読出しや書込みを行うことができるため、利便性が高い。
【０００３】
従来の無線ＩＣタグは、各種の情報が記憶されるＩＣチップと、無線通信を行うためのアンテナとで構成されている。そして、従来の無線ＩＣタグでは、アンテナを使った無線通信により、ＩＣチップからの情報の読出しおよびＩＣチップへの情報の書込みが行われる（例えば特許文献１参照）。
【０００４】
これまでの無線ＩＣタグでは、主に短波帯（３ＭＨｚ〜３０ＭＨｚ）の電波を用いて無線通信が行われていた。特に、最近では１３．５６ＭＨｚの電波を用いた無線ＩＣタグが、主流となり、世界規格ＩＳＯ１５６９３としても採用されている。そして、これからの無線ＩＣタグには、さらなる低コスト化が求められる。さらに、より周波数の高いＵＨＦ帯（３００ＭＨｚ〜３ＧＨｚ）の電波を用いた無線ＩＣタグの開発が期待されている。
【特許文献１】特開２００５−９２６９９号公報（第７−１８頁、第１１図）
【発明の開示】
【発明が解決しようとする課題】
【０００５】
しかしながら、従来の無線ＩＣタグの製造工程では、アンテナを形成するときに、エッチング法によって基板上にアンテナを形成する。また、ＩＣチップの電極にアンテナを接続するときには、異方性導電膜法（ＡＣＦ法）などによってＩＣチップの電極にアンテナを電気的に接続する。しかも、無線ＩＣタグの製造工程は、クリーンルーム内で行われ、すべて高精密を要するので、製造コストが高くなりがちであった。
【０００６】
また、従来は、完成品の無線ＩＣタグについて、ＩＣチップの情報読出し機能や書込み機能、情報通信機能の不良がないかを、非接触の状態で無線通信を行って検査するリード／ライトテストが行われている。そして、無線ＩＣタグ完成後の検査でＩＣチップの不良が発見されると、その不良品の無線ＩＣタグは廃棄処分される。そのため、無線ＩＣタグの歩留まりが低下し、その結果、製造コストを低く抑えるのが困難になる。
【０００７】
そこで、アンテナを接続する前のＩＣチップについて、リード／ライトテストの検査を行うことも考えられる。しかし、従来の無線ＩＣタグでは、ＩＣチップだけで非接触の状態での無線通信を行うことができないため、ＩＣチップの電極にテスタの電極を接触させて検査を行う必要がある。そのため、ＩＣチップのリード／ライトテストに手間がかかり、その結果、製造コストの増加につながることになる。
【０００８】
本発明は、上記の課題に鑑みてなされたもので、無線ＩＣタグの製造工程を簡素化でき、ＩＣチップのリード／ライトテストが容易であって、製造コストを低く抑えることができる無線ＩＣタグを提供することを目的とする。
【課題を解決するための手段】
【０００９】
本発明の無線ＩＣタグは、ＩＣチップと、前記ＩＣチップが接続される二つの接続部を有する面状の中間アンテナで構成されたループ状の中間ＩＣタグ体と、前記中間アンテナが重ねられて無線的に接続される本アンテナと、を備え、前記二つの接続部は前記中間アンテナの存在しない空き部を挟んで互いに対向しており、前記空き部に前記ＩＣチップが架け渡されてループが形成されている。
【００１０】
これにより、中間ＩＣタグ体のＩＣチップに中間アンテナが設けられているので、中間ＩＣタグ体のみでも非接触の状態での無線通信を行うことができる。したがって、中間ＩＣタグ体をリーダやライタに近接させただけの状態で、ＩＣチップのリード／ライトテストを容易に行うことができる。これにより、中間ＩＣタグ体を本アンテナに接続する前に、非接触の状態で無線通信を行ってＩＣチップのリード／ライトテストを行うことができる。したがって、無線ＩＣタグの完成前にＩＣチップの不良を発見することができ、無線ＩＣタグの歩留まりの低下を抑え、製造コストの低コスト化を図ることができる。
【００１１】
また、中間アンテナの空き部にＩＣチップが架け渡されて、中間ＩＣタグ体のループが形成される。この場合、中間アンテナが面状であるので、中間アンテナが線状である場合に比べて、ループを形成するのが容易である。したがって、中間ＩＣタグ体を容易に製造することができ、製造コストを低く抑えることができる。また、中間アンテナを本アンテナに重ねることにより、中間アンテナと本アンテナとが無線的に接続される。したがって、中間アンテナと本アンテナとを容易に接続することができ、無線ＩＣタグの製造工程が簡素化され、製造コストを低く抑えることができる。
【００１２】
また、本発明の無線ＩＣタグでは、前記空き部は、前記二つの接続部の間に設けられた切り込み状のスリットであり、前記ＩＣチップは、前記スリットの切り込み口の付近に配置されている。
【００１３】
これにより、中間アンテナの二つの接続部の間にスリットを設けることによって、空き部を容易に形成することができる。この場合、中間アンテナが面状であるので、スリットを設けるときの加工が容易である。また、ＩＣチップをスリットの切り込み口の付近に配置することにより、中間ＩＣタグ体のループを容易に形成することができる。これにより、中間ＩＣタグ体を容易に製造することができ、中間ＩＣタグ体の製造コストを低く抑えることができる。
【００１４】
また、本発明の無線ＩＣタグでは、前記本アンテナは、導電性インキで印刷された一対のアンテナパターンで構成されている。
【００１５】
これにより、本アンテナがアンテナパターンであり、導電性インキで印刷することによって容易に形成することができる。したがって、無線ＩＣタグの製造工程が高精密を要しないため、製造コストを低く抑えることができる。
【００１６】
また、本発明の無線ＩＣタグでは、前記本アンテナは、不正持出し防止用の情報を電磁的に書き込み可能な棒状の不正持出し防止タグ体で構成されている。
【００１７】
これにより、本アンテナは、無線通信距離を長くするアンテナとしての役割だけでなく、不正持出し防止用のタグとしての役割も果たす。例えば、図書館での蔵書の貸出し管理等に用いられる場合には、ＩＣチップによる情報の管理（書籍のタイトル、貸出し人、貸出し期間などの情報の管理）を行うとともに、本アンテナによる不正持出し防止用の情報（持ち出し許可／不許可の情報）の管理を行うことができる。
【００１８】
本発明の中間ＩＣタグ体は、上記の無線ＩＣタグに用いられ、ＩＣチップと、前記ＩＣチップの端子が接続される接続部を有する面状の中間アンテナで構成され、前記中間アンテナに前記ＩＣチップが架け渡されてループが形成されている。
【００１９】
これによっても、上記のように、中間ＩＣタグ体のみでも非接触の状態での無線通信を行うことができる。したがって、中間ＩＣタグ体をリーダやライタに近接させただけの状態で、ＩＣチップのリード／ライトテストを容易に行うことができる。これにより、中間ＩＣタグ体を本アンテナに接続する前に、非接触の状態で無線通信を行ってＩＣチップのリード／ライトテストを行うことができる。したがって、無線ＩＣタグの完成前にＩＣチップの不良を発見することができ、無線ＩＣタグの歩留まりの低下を抑え、製造コストの低コスト化を図ることができる。
【００２０】
また、上記のように、中間アンテナが線状である場合に比べて、ループを形成するのが容易である。したがって、中間ＩＣタグ体を容易に製造することができ、製造コストを低く抑えることができる。また、中間アンテナを本アンテナに重ねることにより、中間アンテナと本アンテナとが無線的に接続される。したがって、中間アンテナと本アンテナとを容易に接続することができ、無線ＩＣタグの製造工程が簡素化され、製造コストを低く抑えることができる。
【発明の効果】
【００２１】
本発明では、面状の中間アンテナを用いてループ状の中間ＩＣタグ体を構成することにより、ＩＣチップのリード／ライトテストを容易に行うことができるとともに、無線ＩＣタグを容易に製造することができ、製造コストを低く抑えることができる。
【発明を実施するための最良の形態】
【００２２】
以下、本発明の実施の形態の無線ＩＣタグについて、図面を用いて説明する。本実施の形態では、例えば、ＵＨＦ帯（３００ＭＨｚ〜３ＧＨｚ）の電波を用いて無線通信を行い、宅配サービスの集配管理、商品の在庫管理、図書館での蔵書管理などの情報管理等を行う無線ＩＣタグの場合を例示する。
（第１の実施の形態）
本発明の第１の実施の形態では、宅配サービスの集配情報を管理する無線ＩＣタグの場合を例示する。この場合、ＩＣチップには、例えば、宅配サービスの顧客情報や集配進捗状況などの集配情報が記憶されている。
【００２３】
本実施の形態の無線ＩＣタグを、図面を用いて説明する。図１〜図４に示すように、無線ＩＣタグ１００は、ＩＣチップ１０１と中間アンテナ１０２を有する中間ＩＣタグ体１０３と、宅配サービス用紙１０９の表面（表側の面）に印刷される本アンテナ１０４によって構成されている。
【００２４】
図２に示すように、ＩＣチップ１０１には、アンテナ接続用の一対の電極１０５が設けられている。中間アンテナ１０２は面状であり、切り込み状の細長いスリット１０６が設けられている。このスリット１０６は、中間アンテナ１０２は存在していない空き部ともいえる。また、本実施の形態では、スリット１０６はＩ字状であり、中間アンテナ１０２はＵ字状であるともいえる。この中間アンテナ１０２は、例えばアルミテープで構成されている。
【００２５】
この中間アンテナ１０２のスリット１０６には、ＩＣチップ１０１が架け渡されている（図２参照）。ＩＣチップ１０１の電極１０５は、例えば抵抗溶接法などによって中間アンテナ１０２に電気的に接続されている。ここでは、ＩＣチップ１０１が中間アンテナ１０２に接続されている部分を接続部１０７という。したがって、中間アンテナ１０２は、ＩＣチップ１０１が接続される二つの接続部１０７を有しているといえる。また、この接続部１０７は、スリット１０６を挟んで互いに対向しているともいえる。本実施の形態では、ＩＣチップ１０１は、スリット１０６の切り込み口１０８の付近に配置されている。
【００２６】
この場合、中間アンテナ１０２の全長Ｌ１は無線通信に使用する電波の波長（例えば、λ＝３０ｃｍ）の１／５の長さに設定されている（図１参照）。このように、中間アンテナ１０２の全長を電波の波長の整数分の１の長さに設定することにより、中間アンテナ１０２の周波数選択度が高くなる。例えば、中間アンテナ１０２の感度が鋭くなる。
【００２７】
図３および図４に示すように、本アンテナ１０４は、宅配サービス用紙１０９の表面（表側の面）に導電性インキで印刷される一対のアンテナパターンである。本実施の形態では、本アンテナ１０４のアンテナパターンは、左右一対の直線により構成されるバイポーラ直線形状とされている。また、導電性インキとしては、例えば、銀粒ペーストやカーボン等を印刷用インキに添加したインクが使用される。このインクは、腐食しにくく、電気抵抗が小さいので、導電性インキとして適している。
【００２８】
この場合、本アンテナ１０４の全長Ｌ２（バイポーラの一方の直線の先端から他方の直線の先端までの長さ）は無線通信に使用する電波の波長（例えば、λ＝３０ｃｍ）の１／２の長さに設定されている（図１参照）。このように、本アンテナ１０４の全長を電波の波長の整数分の１の長さに設定することにより、本アンテナ１０４の周波数選択度が高くなる。例えば、本アンテナ１０４の感度が鋭くなる。
【００２９】
以上のように構成された無線ＩＣタグ１００の製造方法および使用方法について説明する。
【００３０】
中間ＩＣタグ体１０３を製造する場合には、まず、四角形状のアルミテープ（銅テープ等でもよい）に直線状のスリット１０６を形成して、中間アンテナ１０２を用意する。つぎに、ＩＣチップ１０１を中間アンテナ１０２のスリット１０６の切り込み口１０８の付近に配置し、例えば抵抗溶接法などによってＩＣチップ１０１の電極１０５を中間アンテナ１０２の接続部１０７に電気的に接続する。一方、宅配サービス用紙１０９の表面に導電性インキでアンテナパターンを印刷して、本アンテナ１０４を形成する。
【００３１】
上記の中間ＩＣタグ体１０３を使用するときには、中間アンテナ１０２が本アンテナ１０４に重なるように、アルミテープを宅配サービス用紙１０９の表面（表側の面）に貼り付ける。このようにして、中間アンテナ１０２を本アンテナ１０４に重ねると、中間アンテナ１０２と本アンテナ１０４とが電磁的な相互作用により無線的に接続される。これにより、中間アンテナ１０２と本アンテナ１０４とで一つのアンテナが形成され、中間アンテナ１０２および本アンテナ１０４が無線ＩＣタグ１００のアンテナとして機能する。
【００３２】
上記のような無線ＩＣタグ１００を用いて宅配サービスの集配情報を管理する場合、無線ＩＣタグ１００は例えば下記のように使用される。
【００３３】
まず、ＩＣチップ１０１に、宅配サービスの顧客情報や集配進捗状況などの集配情報を予め記憶させる。つぎに、そのＩＣチップ１０１を有する中間ＩＣタグ体１０３を、荷物に貼付された宅配サービス用紙１０９に貼り付けて、無線ＩＣタグ１００とする。
【００３４】
宅配サービスの集配作業者が顧客先に荷物を宅配する際に、荷物の宅配サービス用紙１０９に取り付けられた無線ＩＣタグ１００から顧客情報を読み取る。宅配が完了したときには宅配サービス用紙１０９の無線ＩＣタグ１００に集配情報を書き込む。
【００３５】
このような第１の実施の形態の無線ＩＣタグ１００によれば、面状の中間アンテナ１０２を用いてループ状の中間ＩＣタグ体１０３を構成することにより、ＩＣチップ１０１のリード／ライトテストを容易に行うことができるとともに、無線ＩＣタグ１００を容易に製造することができ、製造コストを低く抑えることができる。
【００３６】
すなわち、本実施の形態では、中間ＩＣタグ体１０３のＩＣチップ１０１に中間アンテナ１０２が設けられているので、中間ＩＣタグ体１０３のみでも非接触の状態での無線通信を行うことができる。したがって、中間ＩＣタグ体１０３をリーダやライタに近接させただけの状態で、ＩＣチップ１０１のリード／ライトテストを容易に行うことができる。これにより、中間ＩＣタグ体１０３を本アンテナ１０４に接続する前に、非接触の状態で無線通信を行ってＩＣチップ１０１のリード／ライトテストを行うことができる。したがって、無線ＩＣタグ１００の完成前にＩＣチップ１０１の不良を発見することができ、無線ＩＣタグ１００の歩留まりの低下を抑え、製造コストの低コスト化を図ることができる。
【００３７】
また、中間アンテナ１０２の空き部にＩＣチップ１０１が架け渡されて、中間ＩＣタグ体１０３のループが形成される。この場合、中間アンテナ１０２が面状であるので、中間アンテナ１０２が線状である場合に比べて、ループを形成するのが容易である。したがって、中間ＩＣタグ体１０３を容易に製造することができ、製造コストを低く抑えることができる。また、中間アンテナ１０２を本アンテナ１０４に重ねることにより、中間アンテナ１０２と本アンテナ１０４とが無線的に接続される。したがって、中間アンテナ１０２と本アンテナ１０４とを容易に接続することができ、無線ＩＣタグ１００の製造工程が高精密を要しないため、製造コストを低く抑えることができる。
【００３８】
また、本実施の形態では、中間アンテナ１０２の二つの接続部１０７の間にスリット１０６を設けることによって、空き部を容易に形成することができる。この場合、中間アンテナ１０２が面状であるので、スリット１０６を設けるときの加工が容易である。また、ＩＣチップ１０１をスリット１０６の切り込み口１０８の付近に配置することにより、中間ＩＣタグ体１０３のループを容易に形成することができる。これにより、中間ＩＣタグ体１０３を容易に製造することができ、中間ＩＣタグ体１０３の製造コストを低く抑えることができる。
【００３９】
また、本実施の形態では、本アンテナ１０４がアンテナパターンであり、導電性インキで印刷することによって容易に形成することができる。したがって、無線ＩＣタグ１００の製造工程が簡素化され、製造コストを低く抑えることができる。
【００４０】
また、本実施の形態では、製品の製造時（一次タイミングという）に、予め包装容器（ダンボール箱やケースなど）のすべてに本アンテナ１０４を印刷しておき、製品の出荷時（二次タイミングという）に、中間ＩＣタグ体１０３を貼り付ける。そうすると、無線ＩＣタグ１００は、二次タイミングで有効になる。このように、比較的コストの低い本アンテナ１０４を先に量産しておき、比較的コストの高い中間ＩＣタグ体１０３を出荷の寸前に貼り付けることにより、コストの増加を抑えることができる。
【００４１】
また、ＩＣチップ１０１のインピーダンスは、メーカごとに異なる。本実施の形態では、各メーカのＩＣチップ１０１のインピーダンスに合わせて、中間アンテナ１０２のループの大きさや形状を調整することができる。つまり、メーカごとの対応が可能である。すなわち、本アンテナ１０４については、共通の大きさや形状のものを量産することができ、中間アンテナ１０２については、メーカごとの対応が可能である。
【００４２】
また、本実施の形態では、製品を回収した後、中間ＩＣタグ体１０３を容易に引き剥がすことができるので、中間ＩＣタグ体１０３を再利用（リユース）することができる。
（変形例１）
図５には、第１の実施の形態の無線ＩＣタグ１００の変形例１が示される。この変形例の無線ＩＣタグ１００Ａでは、本アンテナ１０４Ａのアンテナパターンが、宅配サービス用紙１０９Ａの裏面（裏側の面）に導電性インキで印刷されている。そして、中間アンテナ１０２Ａが本アンテナ１０４Ａに重なるように、アルミテープが宅配サービス用紙１０９Ａの表面（表側の面）に貼り付けられている。
【００４３】
このように、宅配サービス用紙１０９Ａを表裏から挟むように中間アンテナ１０２Ａを本アンテナ１０４Ａに重ねても、中間アンテナ１０２Ａと本アンテナ１０４Ａとが電磁的な相互作用により無線的に接続される。これにより、中間アンテナ１０２Ａと本アンテナ１０４Ａとで一つのアンテナが形成され、中間アンテナ１０２Ａおよび本アンテナ１０４Ａが無線ＩＣタグ１００Ａのアンテナとして機能する。
（変形例２）
図６には、第１の実施の形態の無線ＩＣタグ１００の変形例２が示される。この変形例の無線ＩＣタグ１００Ｂでは、中間アンテナ１０２Ｂを本アンテナ１０４Ｂに重ねるための重ね部１１０が、中間アンテナ１０２Ｂに設けられている。この重ね部１１０は、中間アンテナ１０２Ｂを本アンテナ１０４Ｂに重ねるのに十分な面積を有している。
【００４４】
このような重ね部１１０が中間アンテナ１０２Ｂに設けられているので、中間アンテナ１０２Ｂを本アンテナ１０４Ｂに容易に重ねることができる。したがって、中間アンテナ１０２Ｂを本アンテナ１０４Ｂに重ねるときの作業性が向上する。例えば、アルミテープを宅配サービス用紙１０９Ｂに貼り付けるときの作業性が向上する。
（変形例３）
図７には、第１の実施の形態の無線ＩＣタグ１００の変形例３が示される。この変形例の無線ＩＣタグ１００Ｃでは、中間アンテナ１０２ＣにＴ字状のスリット１０６Ｃが形成されている。この場合、中間アンテナ１０２ＣはＣ字状であるともいえる。このような形状の中間アンテナ１０２Ｃを用いても、ＩＣチップ１０１Ｃを架け渡してループ状の中間ＩＣタグ体１０３Ｃを構成することができ、第１の実施の形態の無線ＩＣタグ１００と同様の作用効果を奏することができる。
（変形例４）
図８には、第１の実施の形態の無線ＩＣタグ１００の変形例４が示される。この変形例の無線ＩＣタグ１００Ｄでは、中間アンテナ１０２Ｄが全体としてＣ字状に形成されている。この場合、中間アンテナ１０２Ｄの中央に略円形の空き部１０６Ｄが形成されているともいえる。このような形状の中間アンテナ１０２Ｄを用いても、ＩＣチップ１０１Ｄを架け渡してループ状の中間ＩＣタグ体１０３Ｄを構成することができ、第１の実施の形態の無線ＩＣタグ１００と同様の作用効果を奏することができる。
（変形例５）
図９には、第１の実施の形態の無線ＩＣタグ１００の変形例５が示される。この変形例の無線ＩＣタグ１００Ｅでは、中間アンテナ１０２Ｅが全体として渦巻き状に形成されている。このような形状の中間アンテナ１０２Ｅを用いても、ＩＣチップ１０１Ｅを架け渡してループ状の中間ＩＣタグ体１０３Ｅを構成することができ、第１の実施の形態の無線ＩＣタグ１００と同様の作用効果を奏することができる。
（変形例６）
図１０には、第１の実施の形態の無線ＩＣタグ１００の変形例６が示される。この変形例の無線ＩＣタグ１００Ｆでは、中間アンテナ１０２Ｆの中央にＩ字状のスリット１０６Ｆが形成されている。この場合、中間アンテナ１０２Ｆが全体としてＯ字状に形成されているともいえる。このような形状の中間アンテナ１０２Ｆを用いても、ＩＣチップ１０１Ｆを架け渡してループ状の中間ＩＣタグ体１０３Ｆを構成することができ、第１の実施の形態の無線ＩＣタグ１００と同様の作用効果を奏することができる。
（第２の実施の形態）
本発明の第２の実施の形態では、図書館での蔵書の貸出し情報を管理する無線ＩＣタグ２００の場合を例示する。この場合、ＩＣチップ２０１には、書籍のタイトル、貸出し人、貸出し期間などの情報が記憶されている。
【００４５】
本実施の形態の無線ＩＣタグ２００を、図面を用いて説明する。図１１〜図１４に示すように、無線ＩＣタグ２００は、ＩＣチップ２０１と中間アンテナ２０２を有する中間ＩＣタグ体２０３と、棒状の本アンテナ２０４によって構成されている。
【００４６】
ＩＣチップ２０１と中間アンテナ２０２は、第１の実施の形態と同様の構成である。したがって、ここで特に言及しない限り、ＩＣチップ２０１と中間アンテナ２０２の構成は第１の実施の形態と同様である。
【００４７】
一方、本アンテナ２０４は、アモルファス製の一本の棒状部分２１１と、強磁性体で構成された複数のタグ片２１２で構成される。この本アンテナ２０４には、図書館の蔵書の不正持出し防止用の情報（持ち出し許可／不許可の情報）が電磁的に書き込まれる。この本アンテナ２０４は、不正持出し防止（ＥＡＳ、Electric Article Surveillance）用の１ビットトランスポンダーであり、不正持出し防止タグ体を兼ねているともいえる。
【００４８】
この場合、本アンテナ２０４の全長Ｌ３は、書籍に収納するのに適した長さに設定されている（図１１参照）。例えば、この全長Ｌ３の値は、Ｂ５版の書籍の場合には１５ｃｍ、Ａ６版の書籍の場合には１２ｃｍに設定されている。この本アンテナ２０４の全長Ｌ３は、無線通信に使用する電波の波長（例えば、λ＝３０ｃｍ）の１／２の長さに近い値であり、本アンテナ２０４の感度の低下が最低限に抑えられている。
【００４９】
以上のように構成された無線ＩＣタグ２００の製造方法および使用方法について説明する。
【００５０】
中間ＩＣタグ体２０３を製造する場合には、まず、四角形状のアルミテープに直線状のスリット２０６を形成して、中間アンテナ２０２を用意する。つぎに、ＩＣチップ２０１を中間アンテナ２０２のスリット２０６の切り込み口２０８の付近に配置し、例えば抵抗溶接法などによってＩＣチップ２０１の電極２０５を中間アンテナ２０２の接続部２０７に電気的に接続する。一方、本アンテナ２０４として、不正持出し防止タグ体を用意する。
【００５１】
上記の中間ＩＣタグ体２０３を使用するときには、中間アンテナ２０２が本アンテナ２０４に重なるように、アルミテープを不正持出し防止タグ体に貼り付ける。このようにして、中間アンテナ２０２を本アンテナ２０４に重ねると、中間アンテナ２０２と本アンテナ２０４とが電磁的な相互作用により無線的に接続される。これにより、中間アンテナ２０２と本アンテナ２０４とで一つのアンテナが形成され、中間アンテナ２０２および本アンテナ２０４が無線ＩＣタグ２００のアンテナとして機能する。
【００５２】
上記のような無線ＩＣタグ２００を用いて図書館の蔵書の貸出し情報を管理する場合、無線ＩＣタグ２００は例えば下記のように使用される。
【００５３】
まず、ＩＣチップ２０１には、貸出し情報（書籍のタイトル、貸出し人、貸出し期間などの情報）を予め記憶させる。つぎに、そのＩＣチップ２０１を有する中間ＩＣタグ体２０３を、不正持出し防止タグ体に貼り付けて無線ＩＣタグ２００とする。そして、その無線ＩＣタグ２００を書籍の背に収納する（図１４参照）。
【００５４】
図１４に示すように、書籍の貸出しを行うときには、貸出しテーブルに設置されたアンテナ通信装置２１３を用いて、ＩＣタグの情報を読込み／書込みするとともに、貸出しテーブルに設置された磁化装置２１４を用いて、不正持出し防止タグ体に不正持出し防止用の情報（持ち出し許可／不許可の情報）を書き込む。
【００５５】
このような第２の実施の形態の無線ＩＣタグ２００によっても、第１の実施の形態と同様の作用効果を奏することができる。
【００５６】
また、本実施の形態では、本アンテナ２０４が、無線通信距離を長くするアンテナとしての役割だけでなく、不正持出し防止用のタグとしての役割も果たす。例えば、図書館での蔵書の貸出し管理等に用いられる場合には、ＩＣチップ２０１による情報の管理（書籍のタイトル、貸出し人、貸出し期間などの情報の管理）を行うとともに、本アンテナ２０４による不正持出し防止用の情報（持ち出し許可／不許可の情報）の管理を行うことができる。
【００５７】
以上、本発明の実施の形態を例示により説明したが、本発明の範囲はこれらに限定されるものではなく、請求項に記載された範囲内において目的に応じて変更・変形することが可能である。
【産業上の利用可能性】
【００５８】
以上のように、本発明にかかる無線ＩＣタグは、ＩＣチップのリード／ライトテストを容易に行うことができるとともに、無線ＩＣタグを容易に製造することができ、製造コストを低く抑えることができるという効果を有し、商品の在庫管理や図書館の蔵書管理用の無線ＩＣタグ等として有用である。
【図面の簡単な説明】
【００５９】
【図１】第１の実施の形態のＩＣチップ、中間アンテナ、本アンテナの平面図である。
【図２】第１の実施の形態の中間ＩＣタグ体の平面図である。
【図３】第１の実施の形態の無線ＩＣタグの平面図である。
【図４】第１の実施の形態の無線ＩＣタグの側断面図である。
【図５】第１の実施の形態の無線ＩＣタグの変形例１の側断面図である。
【図６】第１の実施の形態の無線ＩＣタグの変形例２の側断面図である。
【図７】第１の実施の形態の無線ＩＣタグの変形例３の側断面図である。
【図８】第１の実施の形態の無線ＩＣタグの変形例４の側断面図である。
【図９】第１の実施の形態の無線ＩＣタグの変形例５の側断面図である。
【図１０】第１の実施の形態の無線ＩＣタグの変形例６の側断面図である。
【図１１】第２の実施の形態のＩＣチップ、中間アンテナ、本アンテナの平面図である。
【図１２】第２の実施の形態の無線ＩＣタグの平面図である。
【図１３】第２の実施の形態の無線ＩＣタグの側断面図である。
【図１４】第２の実施の形態の無線ＩＣタグの使用例の斜視図である。
【符号の説明】
【００６０】
１００  無線ＩＣタグ（第１の実施の形態）
１０１  ＩＣチップ
１０２  中間アンテナ
１０３  中間ＩＣタグ体
１０４  本アンテナ
１０６  スリット（空き部）
１０７  接続部
１０８  切り込み口
２００  無線ＩＣタグ（第２の実施の形態）
２０１  ＩＣチップ
２０２  中間アンテナ
２０３  中間ＩＣタグ体
２０４  本アンテナ
２０６  スリット（空き部）
２０７  接続部
２０８  切り込み口
【図１】
2008158845.tif 000003
【図２】
2008158845.tif 000004
【図３】
2008158845.tif 000005
【図４】
2008158845.tif 000006
【図５】
2008158845.tif 000007
【図６】
2008158845.tif 000008
【図７】
2008158845.tif 000009
【図８】
2008158845.tif 000010
【図９】
2008158845.tif 000011
【図１０】
2008158845.tif 000012
【図１１】
2008158845.tif 000013
【図１２】
2008158845.tif 000014
【図１３】
2008158845.tif 000015
【図１４】
2008158845.tif 000016